(57)【要約】【課題】配送体を用いたダイレクトメールにおいて問題となっていた開封前の廃棄や、情報量の不足を解消し、容易にネットワークへのアクセスが可能で、顧客毎の要望に答えられる圧着配送体を提供すること。【解決手段】複数枚の基材を重ね合わせ、重ね合わせ面には、通常では接着せず所定の圧を加えると接着し、接着後に剥離可能で、剥離後には再接着困難な感圧性接着剤を設けた圧着配送体であって、メモリーカードを、前記重ね合わせ面間に貼付し、前記感圧性接着剤で前記重ね合わせ面を剥離可能に接着してなる。【選択図】図１
2013233693.tif 000002
【特許請求の範囲】
【請求項１】
複数枚の基材を重ね合わせ、重ね合わせ面には、通常では接着せず所定の圧を加えると接着し、接着後に剥離可能で、剥離後には再接着困難な感圧性接着剤を設けた圧着配送体であって、
メモリーカードを、前記重ね合わせ面間に貼付し、前記感圧性接着剤で前記重ね合わせ面を剥離可能に接着してなることを特徴とするメモリーカード付き圧着配送体。
【請求項２】
前記基材が３枚以上からなり、表基材、裏基材を除く基材を内部基材とし、前記圧着配送体の内部基材に孔をあけ、基材を重ね合わせた時に、前記孔の位置の表基材の中面に、メモリーカードを貼付した後、裏面または表裏から基材を重ね合わせ、所定の圧を加えて接着させたことを特徴とする請求項１に記載のメモリーカード付き圧着配送体。
【請求項３】
表裏基材の両方、またはいずれか一方に透明基材を用い、メモリーカードを貼付した位置に相当する透明基材の基材面を除いた部分をインキにて覆い、メモリーカードを貼付した部分を、窓として残し、所定の圧を加えて接着したことを特徴とする請求項１または請求項２に記載のメモリーカード付き圧着配送体。
【請求項４】
前記圧着配送体の表裏基材のいずれか一方に孔をあけ、前記孔に内側から透明フィルムの窓貼りを行い、窓貼りされた部分と対峙する表裏基材のいずれかの中面に、メモリーカードを貼付後、所定の圧を加えて接着したことを特徴とする請求項１に記載のメモリーカード付き圧着配送体。
【発明の詳細な説明】
【技術分野】
【０００１】
本発明は、顧客の要望に答える、多量な情報を記録可能なメモリーカード持つオンデマンド型のダイレクトメールのための圧着配送体に関する。
【背景技術】
【０００２】
従来のダイレクトメール用の配送体は、情報量が少ないため、告知内容・デザインで商品やサービスの興味喚起を促す仕組みが取り入れられているが、商品やサービスそのものに対する興味が低い場合、配送体自体が読まれることなく廃棄されることがあった。
【０００３】
そうした情報量の少なさを克服するために、圧着配送体を用いたダイレクトメールが使用されている。圧着配送体の一つである圧着はがきは、剥離可能な複数枚の用紙から構成され、用紙の重ね合わせ面に、通常では接着せず所定の圧を加えると接着し、接着後に剥離可能で、剥離後には再接着困難な感圧性接着剤を設けられて、通常のはがきとは異なり、用紙の重ね合わせ面に情報を印刷できるため、格段にその情報量を増やすことができる。
【０００４】
しかしながら、告知、興味喚起、理解、購買行動といった、受取手に対する働きかけを、より効果的にするためには、それでも情報量が不足し、他のメディアとの融合に関しても適していない（特許文献１）。
【０００５】
ネットを使用したネット通販ビジネスでは、ダイレクトメールの受け手をサイトに誘導して、発信者の意図する行動に近づけやすくすることが必要である。そのために、パソコン等を立ち上げ、ＵＲＬ（インターネット上に存在するアドレス）の手入力、二次元バーコード（例えば、ＱＲコード（登録商標））、ＡＲマーカー（Ａｕｇｍｅｎｔｅｄ  Ｒｅａｌｉｔｙ：拡張現実を実現するためのパターン）などの印字されたものを、読み取るといった方法が必要で、サイトに誘導するための手順が煩雑であった。
【０００６】
圧着配送体を用いたダイレクトメールの情報量を、格段に増やすために、非接触型のＩＣカードを、圧着配送体内に挟持させる提案がなされている。しかしながら、非接触型のＩＣカードの読み取り装置を持つコンピューターは少なく、ネットワークにつなげるツールとしては機能し辛く、ダイレクトメールとしての情報提供としては不向きである（特許文献２）。
【先行技術文献】
【特許文献】
【０００７】
【特許文献１】特開平０８−２３８８７２号公報
【特許文献２】特開２００４−２８４２１３号公報
【発明の概要】
【発明が解決しようとする課題】
【０００８】
本発明は、上記の問題を解決するためになされたものであり、配送体を用いたダイレクトメールにおいて問題となっていた開封前の廃棄や、情報量の不足を解消し、容易にネットワークへのアクセスが可能で、顧客毎の要望に答えられる圧着配送体を提供することにある。
【課題を解決するための手段】
【０００９】
上記の課題を解決するための手段として、請求項１に記載の発明は、複数枚の基材を重
ね合わせ、重ね合わせ面には、通常では接着せず所定の圧を加えると接着し、接着後に剥離可能で、剥離後には再接着困難な感圧性接着剤を設けた圧着配送体であって、
メモリーカードを、前記重ね合わせ面間に貼付し、前記感圧性接着剤で前記重ね合わせ面を剥離可能に接着してなることを特徴とするメモリーカード付き圧着配送体である。
【００１０】
また、請求項２に記載の発明は、前記基材が３枚以上からなり、表基材、裏基材を除く基材を内部基材とし、前記圧着配送体の内部基材に孔をあけ、基材を重ね合わせた時に、前記孔の位置の表基材の中面に、メモリーカードを貼付した後、裏面または表裏から基材を重ね合わせ、所定の圧を加えて接着させたことを特徴とする請求項１に記載のメモリーカード付き圧着配送体である。
【００１１】
また、請求項３に記載の発明は、表裏基材の両方、またはいずれか一方に透明基材を用い、メモリーカードを貼付した位置に相当する透明基材の基材面を除いた部分をインキにて覆い、メモリーカードを貼付した部分を、窓として残し、所定の圧を加えて接着したことを特徴とする請求項１または請求項２に記載のメモリーカード付き圧着配送体である。
【００１２】
また、請求項４に記載の発明は、前記圧着配送体の表裏基材のいずれか一方に孔をあけ、前記孔に内側から透明フィルムの窓貼りを行い、窓貼りされた部分と対峙する表裏基材のいずれかの中面に、メモリーカードを貼付後、所定の圧を加えて接着したことを特徴とする請求項１に記載のメモリーカード付き圧着配送体である。
【発明の効果】
【００１３】
複数枚の基材を重ね合わせ、重ね合わせ面には、通常では接着せず所定の圧を加えると接着し、接着後に剥離可能で、剥離後には再接着困難な感圧性接着剤を設けた圧着配送体に、メモリーカードを貼付することにより、多量な情報を送るとともに、オンデマンド型のダイレクトメールとして、ネットワークへのアクセスを容易にし、窓貼り部を設けることにより、メモリーカードの貼付が開封まえに確認でき、受取手に対する働きかけを確実にすることができる。
【図面の簡単な説明】
【００１４】
【図１】本願発明の、メモリーカード付き圧着配送体の一例の外観を示した概念図である。
【図２】本願発明の、表基材、裏基材からなるメモリーカード付き圧着配送体の中面を示した概念図である。
【図３】本願発明の、表基材に、窓を設けたメモリーカード付き圧着配送体の一例を示した概念断面図である。
【図４】表基材、孔を持つ内部基材、透明な裏基材からなるメモリーカード付き圧着配送体断面概念図である。
【図５】表基材、孔を持つ内部基材、窓を設けた裏基材からなるメモリーカード付き圧着配送体を開封し、メモリーカードの貼付状態を示した概念図である。
【発明を実施するための形態】
【００１５】
以下本発明を実施するための形態を、図面を用いて詳細に説明する。図１は、本願発明の、メモリーカード付き圧着配送体３０の外観を一例として、表基材１と裏基材２を示している。
【００１６】
裏基材２には窓３があり、メモリーカード付き圧着配送体３０内に貼付されているメモリーカード２０が、窓３を通して見ることができ、配送先顧客の興味を喚起し、読まれることなく廃棄されることを防止することができる。
【００１７】
また、メモリーカード２０により、情報量が格段に増え、わかりやすい映像を用いた情報も提供できる。また、メモリーカード２０に興味を引くことで、パソコン等にメモリーカード２０を貼付させることが、し易くなり、非接触ＩＣカードを用いた場合とは異なり、メモリーカード２０の貼付することによって、ブラウザの自動起動を容易にし、発信者の意図するサイトに誘導が可能となる。
【００１８】
また発送者の意図するサイトに誘導ができれば、提供できる情報は無限に多くなり、専用サイトでは、メモリーカード２０では、難しい解説や質問への回答といったことも可能となる。
【００１９】
図２はメモリーカード付き圧着配送体３０が開封された中面７を示しており、メモリーカード２０が貼付され、顧客別にオンデマンド印刷された情報と、メモリーカード２０に関する情報や操作方法が印刷されている。
【００２０】
図３は、窓３を設けたメモリーカード付き圧着配送体３０の断面を示しており、表基材１と裏基材２が、感圧接着剤５によって接着されている。裏基材２に孔８を設け、孔８に窓貼りフィルム４設けた、窓３を設け、窓貼りフィルム４を通して、メモリーカード１０が見える構造となっている。窓貼りフィルム４には、透明なプラスチックフィルムを用いることができ、裏基材２に設けられた孔８を覆う様に貼られ、窓貼りフィルム４を通して、メモリカード２０が確認できる。
【００２１】
図４は、表基材１、内部基材９、透明なプラスチックフィルムからなる裏基材２の３枚の基材を重ね合わせ構成例を示しており、裏基材２に透明基材を用い、インキ１１により内部情報を隠蔽し、非隠蔽部を窓３とした一例を示している。透明なプラスチックフィルムとしては、剛性があり、透明であれば良い。また内部基材９には、メモリカード２０を貼付する孔８が設けてある。裏基材２の非隠蔽部からなる窓３を通して、メモリーカード２０が見える。
【００２２】
インキ１１はオフセット用インキやスクリーン印刷用インキ等を用いることができ、透明なプラスチックフィルムからなる裏基材２の表面の一部を残して、印刷することにより、窓３を形成する。尚、インキ１１は表基材１の裏面、内部基材９の両面、裏基材２の裏面である中面に印刷された情報を隠蔽する必要がある。
【００２３】
図５は、表基材１、内部基材９、裏基材２を重ね合わせ構成例であり、必要に応じて、内部基材９の枚数や厚みを増やすことができる。内部基材９には孔８が設けられており、表基材１、内部基材９、裏基材２が重ね合わされた位置に、メモリーカード２０が貼付され、裏基材２の窓部３から、メモリーカード２０が確認できる。
【００２４】
メモリーカード付き圧着配送体３０を開封し、表基材１に貼付されたメモリーカード２０の貼付状態を示している。中面７には、サービスや告知内容の他に、ＳＤカードの説明や、ＳＤカードの貼付によるブラウザの自動起動等の情報が印刷されている。
【００２５】
感圧性接着剤５としては、好ましくは印字あるいは印刷が可能であって、感圧性で、いったん接着すると再剥離不能な非剥離性の接着剤基剤に、この接着剤基剤に対して非親和性を示す微粒状充てん剤を配合して、通常では接着せず所定の圧を加えると接着し、接着後に剥離可能で、剥離後には再接着困難な感圧性接着剤としたものが好適である。
【００２６】
前記接着剤基剤としては、従来用いられている通常の感圧性接着剤でよいが、特に挙げれば、天然ゴムにスチレンとメタクリル酸メチルとをグラフト共重合させて得られた天然ゴムラテックスが、耐ブロッキング性、耐熱性、耐摩耗性等の点で好適であり、微粒状充
てん剤としては、接着剤基剤との親和力が小さいもの、例えば、酸化亜鉛、酸化チタン、炭酸カルシウム、カオリン、活性白土、球状アルミナ、小麦デンプン、シリカ、ガラス粉末、シラスバルーン等が用いられる。これらの材料は、単独でも、複数組み合わせてもよいが、特に、シリカと他の適宜な充てん剤との組合せが好適である。
【００２７】
また、粒径の異なる２種類以上を組み合わせると、接着剤塗布面を凹凸状に形成しやすいので、剥離性能が向上する。シリカを添加すると、接着剤の塗膜を強化しうるとともに、その多孔質性により、接着剤が表面に付着しやすいので、接着力や剥離力を調整しやすいという利点がある。上述した微粒状充てん剤の配合割合によって、感圧性接着剤５による接着面の剥離強度を調整する。
【００２８】
また、微粒状充てん剤の配合割合による調整に加えて、感圧性接着剤５を網点状に塗布したり、塗布厚を調整したり、あるいは地紋印刷を施して調整を行うと、剥離強度の調整はより容易となる。感圧性接着剤５の具体例としては、天然ゴム１００重量部に対し、スチレン２ 重量部とメタクリル酸１０重量部とをグラフト共重合させて得られた天然ゴムラテックスに、テルペン樹脂系粘着付与剤５重量部に対し、平均粒径５μｍのシリカゲル２０重量部を添加したものを加えてなるものが好適である。
【００２９】
メモリーカード２０としては、ＳＤカードやメモリースティクがある。ＳＤメモリーカード（ＳＤ  Ｍｅｍｏｒｙ  Ｃａｒｄ）は、フラッシュメモリーに属するメモリーカードであり、各種規格により別れ、大きさに関しては、ＳＤメモリーカード、ｍｉｎｉＳＤカード、ｍｉｃｒｏＳＤカードがあり、幅に関しては、２４ｍｍ、２０ｍｍ、１１ｍｍ、長さに関しては、３２ｍｍ、２１．５ｍｍ、１５ｍｍ、厚さに関しては、２．１ｍｍ、１．４ｍｍ、１．０ｍｍである。必要に応じて、圧着配送体の内部基材に孔を設け、その部分にメモリーカード１０を貼付することもできる。
【００３０】
ＳＤカードの封入方法としては、ＳＤカードの位置を決めて、裏面を窓アキにしフィルム越しにＳＤカードを見せる封入方法や、ＳＤカードの位置を固定せず、窓アキもないまま圧着ハガキに封入する方法、ＳＤカードをシール等で貼りつける方法がある。またＳＤカードはケースに入れた状態で貼付されることもある。
【００３１】
共通するポイントは、配送体であるはがきにＳＤカードが封入・貼付されていることを知らしめる手法であり、ＳＤカードに興味を引くことで、パソコン等にＳＤカードを貼付させやすくし、ＳＤカードの貼付によるブラウザの自動起動を通じて、発信者の意図するサイトに誘導が可能である。
【００３２】
圧着配送体自体にＳＤカードを封入貼付することで、大容量の情報を伝達でき、メモリーカード２０が封入・貼付された構造が、受け手の興味を誘いはがきを開封させ、読まずに廃棄されることが少なくなる。
【００３３】
メモリーカード付き圧着配送体３０に記載されている告知情報を読み、ＳＤカードをパソコン等に差し込んで大量のデジタル情報の視聴や、ＷＥＢサイトへの誘導が可能となり、ネット通販などであれば、そのまま購買行動につなげるなど、受け手を、発信者の意図する行動に近づける効果がある。
【符号の説明】
【００３４】
１・・・表基材
２・・・裏基材
３・・・窓
４・・・窓貼りフィルム
５・・・感圧接着剤
６・・・開封口
７・・・中面
８・・・孔
９・・・内部基材
１０・・・透明基材
１１・・・インキ
２０・・・メモリーカード
３０・・・メモリーカード付き圧着配送体
【図１】
2013233693.tif 000003
【図２】
2013233693.tif 000004
【図３】
2013233693.tif 000005
【図４】
2013233693.tif 000006
【図５】
2013233693.tif 000007